(57)【要約】【課題】有料放送番組の受信不良時に代替コンテンツを表示できる受信装置を提供する。【解決手段】受信装置は、番組の表示を制御するための制御情報を放送信号から分離し、放送信号の受信状態を検出して受信状態が代替を要すると判定されるとき、前記制御情報から取り出した前記番組の情報を通信装置へ通知し、通信装置から前記番組の代替コンテンツに関する情報を取得し、代替コンテンツに関する情報を用いて前記代替コンテンツを表示する。【選択図】図４
2017184207.tif 000002
【特許請求の範囲】
【請求項１】
番組の表示を制御するための制御情報を放送信号から分離し、
前記放送信号の受信状態を検出し、
前記受信状態から前記番組の代替を要するか判定し、
前記代替を要すると判定されるとき、前記番組の情報を通信装置へ通知し、
前記通信装置から前記番組の代替コンテンツに関する情報を取得し、
前記代替コンテンツに関する情報を用いて前記番組の代替サービス情報を表示する
ことを特徴とする受信装置。
【請求項２】
前記番組は、有料放送に係る番組である
ことを特徴とする請求項１に記載の受信装置。
【請求項３】
前記通信装置から前記番組の代替コンテンツに関する情報を取得した場合に、前記番組の再放送が予定されているとき、
前記代替サービス情報は、前記代替コンテンツと前記再放送いずれかを選択する
ことを特徴とする請求項１又は請求項２のいずれかに記載の受信装置。
【請求項４】
前記通信装置から前記番組の代替コンテンツに関する情報を取得した場合に、前記番組とは別個の番組の放送信号を受信中又は受信予定であるとき、
前記代替サービス情報は、前記番組の代替コンテンツと前記別個の番組のいずれかを選択する
ことを特徴とする請求項１から請求項３のいずれか一項に記載の受信装置。
【請求項５】
前記代替サービス情報は、前記代替コンテンツの表示と前記再放送のいずれかを操作入力信号により選択する
ことを特徴とする請求項３に記載の受信装置。
【請求項６】
前記代替サービス情報は、前記代替コンテンツの表示と前記別個の番組のいずれかを操作入力信号により選択する
ことを特徴とする請求項４に記載の受信装置。
【請求項７】
コンピュータに、
番組の表示を制御するための制御情報を放送信号から分離する分離手順と、
前記放送信号の受信状態を検出する検出手順と、
前記受信状態が前記番組の代替を要するか判定する判定手順と、
前記代替を要すると判定されるとき、前記番組の情報を通信装置へ通知する通知手順と、
前記通信装置から前記番組の代替コンテンツに関する情報を取得する取得する手順と、
前記代替コンテンツに関する情報を表示する表示手順と
を実行させるためのプログラム。
【請求項８】
番組の表示を制御するための制御情報を放送信号から分離する分離過程と、
前記放送信号の受信状態を検出する検出過程と、
前記受信状態が前記番組の代替を要するか判定する判定過程と、
前記代替を要すると判定されるとき、前記番組の情報を通信装置へ通知する通知過程と、
前記通信装置から前記番組の代替コンテンツに関する情報を取得する取得過程と、
前記代替コンテンツに関する情報を表示する表示過程と
を含む受信方法。
【発明の詳細な説明】
【技術分野】
【０００１】
本発明は、受信装置、プログラム、及び受信方法に関する。
【背景技術】
【０００２】
近年、放送衛星や通信衛星を用いたデジタル放送が行われている。衛星を用いたデジタル放送では、番組ごとに視聴料金を支払って視聴するペイ・パー・ビュー（以下、ＰＰＶと称する）方式の有料放送番組が提供される。この、ＰＰＶ方式の番組の中には、先払い型ＰＰＶ（Ｃａｌｌ  Ａｈｅａｄ  ＰＰＶ、以下、ＣａＰＰＶと称する）方式の有料放送番組がある。ＣａＰＰＶでは、ユーザはすでに料金を支払っていることから、ＣａＰＰＶ番組を適切に視聴できるサービスの提供が望ましい。
従来、購入したＰＰＶ方式の有料放送を受信や録画を行う場合において、その放送時間に降雨等により受信状態が低下もしくは停電等により受信不能であった場合には、再放送の受信を許可するか、もしくは課金を停止する等の対応をする必要があった。この受信状態低下もしくは受信不能等の判定はビット誤り率を用い、また、受信品質低下の原因にアンテナ設定不良、ケーブル断線等、受信機自体の不良を除外するために、アンテナ設定時の受信品質、通常使用時の受信品質を利用している（特許文献１）。
【先行技術文献】
【特許文献】
【０００３】
【特許文献１】特開平１１−１６４２９４号公報
【発明の概要】
【発明が解決しようとする課題】
【０００４】
しかしながら、払戻し手続きをする場合、放送事業者は受信不良または受信不能の原因がユーザ側の責任に依るものかどうかを判別しなければならず、手数がかかる。また、同番組の再放送の受信を許可する場合にあっても、再放送時まで待たなければならず、ユーザは番組をすぐに視聴や録画することができない。
【０００５】
本発明は、このような事情に鑑みてなされたもので、その目的は、有料放送番組の視聴や録画できなかった場合でも、ユーザの都合に合わせて、同内容の番組を視聴や録画できる、受信装置、プログラム、及び受信方法を提供することにある。
【課題を解決するための手段】
【０００６】
上述の課題を鑑み、本発明の一態様は、番組の表示を制御するための制御情報を放送信号から分離し、前記放送信号の受信状態を検出し、前記受信状態が前記番組の代替を要するか判定し、前記代替を要すると判定されるとき、前記番組の情報を通信装置へ通知し、前記通信装置から前記番組の代替コンテンツに関する情報を取得し、前記代替コンテンツに関する情報を表示する、受信装置である。
【０００７】
また、本発明の一態様は、番組の表示を制御するための制御情報を放送信号から分離する分離手順と、前記放送信号の受信状態を検出する検出手順と、前記受信状態が前記番組の代替を要するか判定する判定手順と、前記代替を要すると判定されるとき、前記番組の情報を通信装置へ通知する通知手順と、前記通信装置から前記番組の代替コンテンツに関する情報を取得する取得手順と、前記代替コンテンツに関する情報を表示する表示手順と、を実行させるためのプログラムである。
【０００８】
また、本発明の一態様は、番組の表示を制御するための制御情報を放送信号から分離する分離過程と、前記放送信号の受信状態を検出する検出過程と、前記受信状態が前記番組の代替を要するか判定する判定過程と、前記代替を要すると判定されるとき、前記番組の情報を通信装置に通知する通知課程と、前記通信装置から前記番組の代替コンテンツに関する情報を取得する取得過程と、前記代替コンテンツに関する情報を表示する表示過程と、を含む受信方法である。
【発明の効果】
【０００９】
本発明によれば、有料放送番組を契約したユーザ側の責任に依らない原因によって番組の視聴や録画できなかった場合でも、ユーザの都合に合わせて、同内容の番組を視聴や録画できる。
【図面の簡単な説明】
【００１０】
【図１】本実施形態に係るデジタル放送システムの構成を示すブロック図である。
【図２】本実施形態に係る送信装置の構成を示すブロック図である。
【図３】本実施形態に係る受信装置の構成を示すブロック図である。
【図４】本実施形態に係る代替コンテンツ取得をする際の処理を示すフローチャートである。
【図５】本実施形態に係る代替コンテンツ取得時の、ＰＰＶ管理テーブルの例を説明する図である。
【図６】本実施形態に係る代替コンテンツ取得時の表示画面の例を示す図である。
【図７】本実施形態に係る代替コンテンツ取得時に別番組がある場合の、ＰＰＶ管理テーブルの例を説明する図である。
【図８】本実施形態に係る代替コンテンツ取得時に別番組がある場合の表示画面の例を説明する図である。
【発明を実施するための形態】
【００１１】
以下、本発明の一実施形態による受信装置について図面を参照して説明する。
【００１２】
＜デジタル放送システムの構成＞
まず、デジタル放送システムの構成について説明する。図１は、本実施形態に係る、デジタル放送システム１の構成を示すブロック図である。図１に示すように、デジタル放送システム１は、受信装置１０と、送信装置２０と、通信装置４０と、を含んで構成されている。
デジタル放送システム１において、受信装置１０と、送信装置２０と、通信装置４０との台数は、一般的にそれぞれ複数であるが、以下の説明においては、説明を容易にするため、受信装置１０と送信装置２０と通信装置４０との台数が、それぞれ１台である、デジタル放送システム１の場合について説明する。
【００１３】
また、以下の説明では、デジタル放送システム１におけるデジタル放送のメディアトランスポート方式として、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ（一般社団法人  電波産業会））ＳＴＤ−Ｂ６０規格に記載の、ＭＭＴ（ＭＰＥＧ  Ｍｅｄｉａ  Ｔｒａｎｓｐｏｒｔ）方式が採用されている場合を例として説明する。
【００１４】
送信装置２０は、番組データｉ１と構成要素情報が多重化された放送波を送信する。例えば、放送局などの放送事業者に備えられた送信装置である。
番組データｉ１に含まれる映像データと音声データとのそれぞれは、予め定めた符号化方式で符号化されたデータである。例えば、映像データは、Ｈ．２６５、いわゆる、ＨＥＶＣ（Ｈｉｇｈ  Ｅｆｆｉｃｉｅｎｃｙ  Ｖｉｄｅｏ  Ｃｏｄｉｎｇ）などの符号化方式で符号化されたデータである。また、例えば、音声データは、ＩＳＯ／ＩＥＣ  １４４９６  Ｐａｒｔ３、いわゆる、ＭＰＥＧ−４オーディオなどの符号化方式で符号化されたデータである。また、送信装置２０は、放送番組や放送に伴って提供されるサービスを構成するための情報である構成要素情報を送信する。
【００１５】
受信装置１０は、送信装置２０が送信した放送波を受信する。
受信装置１０は、多重化された放送波から、番組データｉ１と構成要素情報を分離し、送信装置２０で符号化した符号化方式に対応する復号方式で復号化する。さらに、番組データｉ１を、映像データと音声データ、及び構成要素情報に分離して放送番組を再生する。
受信装置１０は、通信装置４０とインターネット５０を介した情報の通知と取得を行う。
【００１６】
送信装置２０から送信された放送波は、地上波、ケーブルのような有線伝送路、又は、放送衛星３０を介して、受信装置１０に伝送される。図１に示す例は、放送波が、放送衛星３０を介して伝送される場合を示している。
受信装置１０は、放送衛星３０を介して伝送される種々の情報を受信するデジタル放送受信装置である。以下の説明では、受信装置１０が、テレビジョン受像機（テレビ、ＴＶ）であるものとして説明する。
【００１７】
＜送信装置２０の構成＞
次に、本実施形態に係る、送信装置２０の構成について説明する。図２は、本実施形態に係る、送信装置２０の構成を示すブロック図である。図２に示すように、送信装置２０は、番組データ生成部２０１、構成情報生成部２０２、多重化部２０３、暗号化部２０４、及び、送信部２０５を含んで構成される。
【００１８】
番組データ生成部２０１は、放送番組を構成する映像を示す映像データと、放送番組を構成する音声を示す音声データを取得する。番組データ生成部２０１は、取得した映像データを所定の映像符号化方式で符号化する。
所定の映像符号化方式は、例えば、ＩＳＯ／ＩＥＣ  ２３００８  ＨＥＶＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｎｉｃａｌ  Ｃｏｍｍｉｓｓｉｏｎ  ２３００８  Ｐａｒｔ２  Ｈｉｇｈ  Ｅｆｆｉｃｉｅｎｃｙ  Ｖｉｄｅｏ  Ｃｏｄｉｎｇ、単に、ＨＥＶＣとも呼ばれる）で規格化された方式である。
【００１９】
また、番組データ生成部２０１は、取得した音声データを所定の映像符号化方式で符号化する。所定の音声符号化方式は、例えば、ＩＳＯ／ＩＥＣ  １４４９６  Ｐａｒｔ３（単に、ＭＰＥＧ−４オーディオとも呼ばれる。なお、ＭＰＥＧはＭｏｖｉｎｇ  Ｐｉｃｔｕｒｅ  Ｅｘｐｅｒｔｓ  Ｇｒｏｕｐを略したものである。）で規定された音声符号化方式である。
【００２０】
構成情報生成部２０２は、構成要素情報から構成情報を生成し、多重化部２０３に出力する。構成情報は、ＭＭＴ−ＳＩ（ＭＭＴ−Ｓｙｓｔｅｍ  Ｉｎｆｏｒｍａｔｉｏｎ）形式の制御情報を含む。ＭＭＴ−ＳＩには、後述する放送事業者が設定するメッセージとテーブルと記述子により記述される。所定の形式の番組データは、例えば、ＩＳＯ／ＩＥＣ  ２３００８  Ｐａｒｔ１  ＭＭＴ（ＭＰＥＧ  Ｍｅｄｉａ  Ｔｒａｎｓｐｏｒｔ、単にＭＭＴとも呼ばれる）で規定されたＭＰＵ（Ｍｅｄｉａ  Ｐｒｏｃｅｓｓｉｎｇ  Ｕｎｉｔ）である。各ＭＰＵには、映像や音声の復号処理を行うことができる単位の映像データ、音声データ、及びＭＭＴ−ＳＩが含まれる。
【００２１】
多重化部２０３は、番組データ生成部２０１が出力した番組データ、及び、構成情報生成部２０２が出力した構成情報を多重化して、所定の形式（例えば、ＴＬＶ（Ｔｙｐｅ  Ｌｅｎｇｔｈ  Ｖａｌｕｅ）パケット）の多重化データを生成する。多重化部２０３は、生成した多重化データを、暗号化部２０４に出力する。
【００２２】
暗号化部２０４は、多重化部２０３が出力した多重化データを所定の暗号化方式（例えば、ＡＥＳ（Ａｄｖａｎｃｅｄ  Ｅｎｃｒｙｐｔｉｏｎ  Ｓｔａｎｄａｒｄ）やＭＵＬＴＩ２）を用いて暗号化する。暗号化部２０４は、構成情報に含まれる暗号化に用いた鍵情報を、さらに放送ごと契約ユーザ毎に異なる暗号鍵を用いて暗号化する。暗号化部２０４は、暗号化した多重化データを、送信部２０５に出力する。
【００２３】
送信部２０５は、暗号化部２０４が出力した多重化データを、受信装置１０に放送伝送路である、放送衛星３０を介して送信する。ここで、送信部２０５は、ベースバンド信号である多重化データで所定の搬送周波数を有する搬送波を変調させて、搬送周波数に対応したチャネル帯域の電波（放送信号）をアンテナ（図示せず）により放射する。
【００２４】
＜受信装置１０の構成の説明＞
次に、受信装置１０の構成について説明する。図３は、本発明の第１の実施形態に係る、受信装置１０の構成の一例を示すブロック図である。
【００２５】
受信装置１０は、受信部１１１、復号部１１２、分離部１１３、音声復号部１１４、再生部１１６、映像復号部１１７、映像合成部１１８、表示部１１９、代替コンテンツ処理部１２０、記憶部１２２、操作入力部１２３、制御部１３１、暗号解除部１４１、通信部１５１、を含んで構成される。
制御部１３１は、検出部１３２、判定部１３３、表示制御部１３４、代替コンテンツ取得部１３５を含んで構成される。
【００２６】
受信部１１１は、送信装置２０が送信した放送波を、アンテナ（図示せず）により受信する。受信部１１１は、受信した受信信号を、制御部１３１から入力される選局信号で指定されるチャンネルの周波数でベースバンド信号にダウンコンバートし、復調することにより、多重化データに変換する。受信部１１１は、変換した多重化データを、復号部１１２に出力する。
【００２７】
復号部１１２は、受信部１１１から入力された多重化データ（暗号化されている）を、送信装置２０の暗号化部２０４で用いられた方式に対応する復号方式（例えば、ＡＥＳ）で復号し、復号された多重化データを生成する。このとき、復号部１１２は、暗号解除部１４１、表示制御部１３４を介して、デスクランブルのための鍵を取得し、このデスクランブルのための鍵を用いて暗号を解除する。復号部１１２は、生成した多重化データを、分離部１１３に出力する。
【００２８】
分離部１１３は、復号部１１２から入力された復号後の多重化データから番組データ及び構成情報に分離する。さらに、分離部１１３は、番組データから映像データと音声データとを抽出する。分離部１１３は、抽出した映像データを、映像復号部１１７へ出力し、抽出した音声データを、音声復号部１１４へ出力する。また、分離部１１３は、構成情報を、制御部１３１へ出力する。
【００２９】
音声復号部１１４は、分離部１１３から音声データを取得する。音声復号部１１４は、取得した音声データを復号する。復号は、符号化に用いられた符号化方式と対応する復号方式によってなされる。それによって、音声復号部１１４は、元の音声データを生成する。復号した音声データは、各時刻における音声のレベルを示すデータである。例えば、符号化に用いられる符号化方式とは、ＭＰＥＧ−４オーディオである。音声復号部１１４は、復号した音声データを、再生部１１６へ出力する。
再生部１１６は、音声復号部１１４から入力された音声データに基づく音声を再生する。例えば、再生部１１６は、スピーカーを含んで構成される。
【００３０】
映像復号部１１７は、分離部１１３から映像データを取得する。映像復号部１１７は、取得した映像データを復号する。復号は、符号化に用いられた符号化方式と対応する復号方式によってなされる。それによって、映像復号部１１７は、元の映像データを生成する。復号した映像データは、各時刻における映像（フレーム画像）を形成する信号値を示すデータである。例えば、符号化に用いられる符号化方式とは、ＨＥＶＣ、ＭＰＥＧ−２ビデオである。
映像復号部１１７は、復号した映像データを、映像合成部１１８へ出力する。
【００３１】
映像合成部１１８は、映像復号部１１７から映像データを取得する。また、映像合成部１１８は、制御部１３１から放送選択画面等を示す通知画像データ等を取得する。例えば、映像合成部１１８は、映像データに基づく映像上に、通知画像データに基づく放送選択画面やデータ放送サービスの画面等の映像を重ねた映像を生成する。映像合成部１１８は、生成した映像に基づく映像データを、表示部１１９へ出力する。
【００３２】
表示部１１９は、映像合成部１１８から取得した映像データに基づく映像を表示する。
例えば、表示部１１９は、液晶ディスプレイ、有機ＥＬ（Ｅｌｅｃｔｒｏｌｕｍｉｎｅｓｃｅｎｃｅ）ディスプレイ、等を含んで構成される。
【００３３】
代替コンテンツ処理部１２０は、代替コンテンツを表示するための番組データ、デスクランブルのための鍵情報を、表示制御部１３４から取得する。代替コンテンツ処理部１２０は、デスクランブルのための鍵を用いて、番組データの暗号を解除し、番組データから映像データと音声データとを抽出する。代替コンテンツ処理部１２０は、抽出した映像データを、映像復号部１１７へ出力し、抽出した音声データを、音声復号部１１４へ出力する。
【００３４】
操作入力部１２３は、受信装置１０のユーザによる操作入力を受け付ける。操作入力部１２３は、受け付けた操作入力に基づいて生成される操作信号を生成する。操作入力部１２３は、生成した操作信号を、制御部１３１へ出力する。
例えば、操作入力部１２３が生成する操作信号とは、電源のオン／オフを示す信号、放送波のチャンネルを示す信号、等である。操作入力部１２３は、例えば、リモートコントローラ、又は、受信装置１０自らが備える操作ボタン、又は携帯型情報端末（例えば、スマートフォン）、等から操作信号を受信する入力インターフェースであってもよい。
【００３５】
暗号解除部１４１は、有料放送の番組データをデスクランブルするための鍵を取得する。
暗号解除部１４１は、予め（例えば、受信装置１０の電源投入時）、ＣＡＳ（Ｃｏｎｄｉｔｉｏｎａｌ  Ａｃｃｅｓｓ  Ｓｙｓｔｅｍ）プログラムを起動する。
暗号解除部１４１は、表示制御部１３４から、有料放送の番組情報と受信装置の制御に関する情報等の共通情報である、ＥＣＭ（Ｅｎｔｉｔｌｅｍｅｎｔ  Ｃｏｎｔｒｏｌ  Ｍｅｓｓａｇｅ）及び、ＥＣＭの暗号を解くための情報と個人契約情報等の個別情報である、ＥＭＭ（Ｅｎｔｉｔｌｅｍｅｎｔ  Ｍａｎａｇｅｍｅｎｔ  Ｍｅｓｓａｇｅ）を取得する。
ＥＣＭ、ＥＭＭは、送信信号中のアクセス制御記述子記述子にそのロケーション情報が記述されて、送信装置２０より送信される。表示制御部１３４は、そのロケーション情報を用いて、放送信号中のパケット位置またはＵＲＬ（Ｕｎｉｆｏｒｍ  Ｒｅｓｏｕｒｃｅ  Ｌｏｃａｔｏｒ）等で示された参照先を参照することにより、ＥＣＭ、ＥＭＭを取得する。
暗号解除部１４１は、ＥＭＭとＣＡＳプログラム起動時に付される又は予め付されている識別情報を用いて、ＥＭＭの暗号を解く。さらに、暗号解除部１４１は、暗号が解かれた、ＥＭＭを用いて、ＥＣＭの暗号を解き、番組データをデスクランブルするための鍵を得る。
暗号解除部１４１は、デスクランブルするための鍵を、表示制御部１３４へ出力する。
【００３６】
通信部１５１は、インターネット５０を介して、通信装置４０と通信を行う通信インターフェースである。通信部１５１は、通信装置４０と通信を行うことで、通信部１５１は、受信装置１０が受信中の番組の情報（番組の名称、放送日時等）を、通信装置４０に通知し、受信中の番組に関する代替コンテンツに関する情報（ロケーション情報等）を取得する。
【００３７】
制御部１３１は、ＣＰＵ等を含んで構成される制御デバイスを含んで構成される。制御部１３１は、受信装置１０の種々の動作を制御する。制御部１３１は、検出部１３２、判定部１３３、表示制御部１３４及び、代替コンテンツ取得部１３５によって構成される。
【００３８】
検出部１３２は、受信した放送信号の再生品質を判定するための受信状態を検出する。
検出部１３２は、受信部１１１が受信した放送信号から、受信信号のレベルを示すデータを取得し、受信状態を検出する。
受信状態の検出は、例えば、ＲＳＳＩ（Ｒｅｃｅｉｖｅｄ  Ｓｉｇｎａｌ  Ｓｔｒｅｎｇｔｈ  Ｉｎｄｉｃａｔｏｒ、受信信号強度）が用いられる。また、復号後のデータを用いてパケット単位での誤り率である、ＰＥＲ（Ｐａｃｋｅｔ  Ｅｒｒｏｒ  Ｒａｔｅ）や、ＭＭＴ−ＳＩのメッセージ、テーブル、記述子に付された誤り検出符号である、ＣＲＣ（Ｃｙｃｌｉｃ  Ｒｅｄｕｎｄａｎｃｙ  Ｃｈｅｃｋ）を用いることによっても、受信した放送信号の再生品質を検出することができる。
【００３９】
判定部１３３は、受信状態を判定するために、記憶部１２２から取得する、ＲＳＳＩ、ＰＥＲ又は、ＣＲＣ等の再生品質の判定に用いる指標と、検出部１３２から取得した、受信状態とを用いて、受信状態が正常か又は、代替を要するほどに劣悪か、の判定をする。
判定部１３３は、判定結果を、記憶部１２２へ出力する。
【００４０】
表示制御部１３４は、受信部１１１が受信した番組の再生処理、記憶部１２２内ＰＰＶ管理テーブル更新処理、通信装置４０から代替コンテンツを取得する処理等について、一連の表示制御をする。
ＰＰＶ管理テーブルは、記憶部１２２内にあり、暗号解除部１４１から取得する、ＣＡＳモジュール情報、分離部１１３より取得する放送信号中の構成情報にある、放送番組の番組タイトル、放送日時、及び、判定部１３３より取得する受信状態の判定結果等、を含んで構成される。
【００４１】
表示制御部１３４は、番組を再生するために、分離部１１３より取得した構成情報から、ＥＣＭ、ＥＭＭ情報取り出して、暗号解除部１４１に通知してデスクランブルするための鍵を取得する。
表示制御部１３４は、デスクランブルするための鍵を、復号部１１２へ出力する。
表示制御部１３４は、分離部１１３から取得した構成情報より取得した情報を用いて、映像合成部１１８へ選択画面を示す通知画像データ等の情報を出力する。
【００４２】
表示制御部１３４は、ＰＰＶ管理テーブルを更新するために、暗号解除部１４１から、ＣＡＳモジュール情報を取得して、記憶部１２２へ出力する。
また、表示制御部１３４は、分離部１１３から取得した構成情報内の番組に関する情報（番組の名称、放送日時、再放送日時、等）を、記憶部１２２へ出力する。
さらに、表示制御部１３４は、代替コンテンツ取得部１３５から、通信部１５１を介して代替コンテンツ番組データを取得し、その旨を、記憶部１２２へ出力する。
【００４３】
表示制御部１３４は、記憶部１２２から受信状態の判定結果を取得し、受信状態が代替を要するほど劣悪であることを検出した場合には、その有料放送番組終了時刻において、代替コンテンツ取得部１３５、通信部１５１を介して、通信装置４０へ代替コンテンツ要求を通知する。
表示制御部１３４は、通信装置４０へ代替コンテンツ要求の応答として、通信部１５１、代替コンテンツ取得部１３５を介して、通信装置４０から代替コンテンツに関する情報（ロケーション情報、鍵情報、等）を取得する。
また、表示制御部１３４は、通信部１５１、代替コンテンツ取得部１３５を介して、通信装置４０から代替コンテンツに関する情報を取得し、その情報の中のロケーション情報から、代替コンテンツの格納先の通信サーバーのロケーション情報を用いて、代替コンテンツ取得部１３５、通信部１５１を介して、代替コンテンツの格納先の通信サーバーにアクセスして、代替コンテンツ番組データを取得する。
【００４４】
代替コンテンツ取得部１３５は、通信部１５１を介して、通信装置４０または、表示制御部１３４より指定されたアドレスの通信サーバーとの通信を行う。
スイッチＳＷ１００は、音声復号部１１４及び、映像復号部１１７へ入力する音声データ及び映像データについて、分離部１１３の出力又は、代替コンテンツ処理部１２０の出力のどちらにするか選択するスイッチである。スイッチＳＷ１００の制御は、表示制御部１３４が行う。
【００４５】
記憶部１２２は、各種のデータやプログラムを記憶する記憶媒体である。
記憶部１２２は、ＰＰＶ管理テーブルを有し、有料放送番組についての属性情報である、ＣＡＳモジュール情報、番組タイトル、放送日時、再放送日時、受信状態の判定結果、を記憶する。
記憶部１２２は、表示制御部１３４から、暗号解除部１４１を介して、ＣＡＳモジュール情報を取得し、表示制御部１３４から番組タイトル、放送日時、再放送日時を取得し、記憶する。
記憶部１２２は、判定部１３３から、受信状態の判定結果を取得して記憶する。
【００４６】
例えば、記憶部１２２は、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、又はそれらの任意の組み合わせを含んで構成される。
【００４７】
＜通信装置４０の構成の説明＞
通信装置４０について説明する。
通信装置４０は、代替コンテンツをダウンロードするための情報を含む放送番組付加情報を格納した記憶領域と、インターネット通信機能を含んで構成される。代替コンテンツをダウンロードするための情報は、ダウンロード先の通信サーバーのアドレス、通信のセッション識別、セッションプロトコル番号、再接続を行う際の上限回数等を含んでいる。
図１に示す例では、通信装置４０から通知された放送番組付加情報は、インターネット５０を介して、受信装置１０に伝送される。
【００４８】
＜代替コンテンツの取得＞
次に、有料放送番組について受信状態が再生品質の判定に用いる受信状態しきい値を超えていない場合の代替コンテンツを取得するまでの流れを説明する。
ここでの有料放送番組の番組タイトルは「Ａ」であり、代替コンテンツとして、ＶＯＤサービスによる代替番組データを取得する場合の例である。また、ＳＷ１００は、分離部１１３の出力側に設定されているものとして説明する。
図４は、代替コンテンツを取得するまでの処理を示すフローチャートである。
図５は、代替コンテンツ取得前後の、ＰＰＶ管理テーブルを示す図である。ＰＰＶ管理テーブルには、ユーザが契約した、番組Ａに関する、ＣＡＳモジュール情報、番組タイトル、放送日時、受信状態といった属性情報が記載されている。
図６は、代替コンテンツを取得時の、表示部１１９の表示画面を示す図である。図６の表示部１１９には、案内表示１１９−２、その案内表示に対する、選択表示１１９−３「いいえ」と、選択表示１１９−４「はい」が表示されている。
図７は、他の番組がある場合の代替コンテンツ取得前及び取得後の、ＰＰＶ管理テーブルを示す図である。図７の、ＰＰＶ管理テーブルには、ユーザが契約した、番組Ａの他に、番組Ｂに関する属性情報が記載されている。
図８は、他の番組がある場合の代替コンテンツ取得時の表示画面を示す図である。図８の表示部１１９には、案内表示１１９−２「前回・・」、その案内表示部に対する、選択表示１１９−３「ＶＯＤで・・」と、選択表示１１９−４「番組Ｂを・・」が表示されている。
【００４９】
表示制御部１３４は、分離部から取得する構成情報から、番組Ａの番組属性情報（ＣＡＳモジュール情報、番組タイトル、放送日時等）を取得し、記憶部１２２を介して、ＰＰＶ管理テーブルに番組属性情報を記憶する（図５（ａ））。
【００５０】
受信部１１１は、ＰＰＶ管理テーブルにある、番組Ａの放送日時に、番組Ａの放送信号を受信する（図４ステップＳ１１）。表示制御部１３４は、番組Ａの放送信号受信中に  検出部１３２、判定部１３３、記憶部１２２を介して、受信状態を検出し（図４ステップＳ１２）、受信状態が正常か又は、代替を要するほどに劣悪であるか、判定する（図４ステップＳ１３）。
表示制御部１３４は、受信状態が正常であれば、記憶部１２２を介して、ＰＰＶ管理テーブルの受信状態を「受信良好」とする（図５（ａ）受信状態）。番組終了時まで受信状態が正常であればそのまま番組再生を終了する（図４ステップＳ１３／ＹＥＳ）。
【００５１】
表示制御部１３４は、番組Ａの放送信号受信中に  検出部１３２、判定部１３３、記憶部１２２を介して、受信状態が正常か否かを判定し、受信状態が代替を要する状態である場合（図４ステップＳ１３／ＮＯ）、表示制御部１３４は、映像合成部１１８と、表示部１１９とを介して、代替コンテンツを取得するか否かの、案内表示１１９−２をする（図６（ａ））。
また、表示制御部１３４は、記憶部１２２を介して、ＰＰＶ管理テーブルの、番組Ａの受信状態を「受信失敗」とする（図５（ｂ）受信状態）。
表示制御部１３４は、代替コンテンツを取得するか否かの、案内表示１１９−２（図６（ａ））に対して、選択表示１１９−３「いいえ」に相当する制御信号を、操作入力部１２３を介して取得した場合、そのまま終了し、選択表示１１９−４「はい」に相当する制御信号を、取得した場合、代替コンテンツを取得するため、その番組終了時において、代替コンテンツ取得部１３５を介して代替コンテンツ取得要求を、通信装置４０に通知する（図４ステップＳ１４）。
【００５２】
通信装置４０は、受信装置１０からの要求に対する応答として、受信装置１０へロケーション情報や暗号鍵情報等、代替コンテンツ取得に必要な情報を通知する。表示制御部１３４は、通信部１５１を介して、通信装置４０から代替要求に対する応答として、代替コンテンツ格納する通信サーバーのロケーション情報、代替コンテンツ暗号鍵情報等、代替コンテンツ取得に必要な情報を取得する（図４ステップＳ１５）。
【００５３】
表示制御部１３４は、通信装置４０から取得したロケーション情報を用いて、代替コンテンツを格納する通信サーバーのアドレスを指定し、代替コンテンツを取得する。
また、表示制御部１３４は、通信装置４０から取得した暗号鍵情報を用い、暗号解除部１４１を介して、暗号化された代替コンテンツのデスクランブルするための鍵を取得する。表示制御部１３４は、代替コンテンツの番組データと、デスクランブルするための鍵と、を代替コンテンツ処理部１２０に出力し、代替コンテンツを表示再生可能な状態とする（図４ステップＳ１６）。
【００５４】
このとき、表示制御部１３４は、ＰＰＶ管理テーブル内の、番組Ａの受信状態を「ＶＯＤ視聴可」（図５（ｃ）受信状態）とする。また、表示制御部１３４は、代替コンテンツが表示可能となった旨及び代替コンテンツの有効期限は次回再放送までである旨の、案内表示１１９−２「今すぐ・・」を表示する（図４ステップＳ１７、ステップＳ１８、図６（ｂ））。
【００５５】
表示制御部１３４は、代替コンテンツが表示可能となった旨の、案内表示１１９−２（図６（ｂ））に対して、選択表示１１９−３「いいえ」に相当する制御信号を、操作入力部１２３を介して取得した場合、そのまま終了する。
【００５６】
表示制御部１３４は、代替コンテンツが表示可能となった旨の、案内表示１１９−２（図６（ｂ））に対して、選択表示１１９−４「はい」に相当する制御信号を、取得した場合、スイッチＳＷ１００を代替コンテンツ処理部１２０の出力側に設定する。
代替コンテンツ処理部１２０は、代替コンテンツの番組データをデスクランブルのための鍵を用いて復号し、映像データ、音声データ及び制御信号に分離し、映像データを、映像復号部１１７へ出力し、音声データを、音声復号部１１４へ出力する。こうすることで、番組Ａの代替番組の映像が、表示部１１９から表示され、番組Ａの代替番組の音声が、再生部１１６から出力される。
【００５７】
このとき、表示制御部１３４は、有料放送番組の代替手段としての目的を果たした代替コンテンツを必要以上に再生できないように管理する。
表示制御部１３４は、記憶部１２２を介して、代替コンテンツの再生の有無を記憶させておき、一度代替コンテンツを再生したら、記憶部１２２を介して、ＰＰＶ管理テーブルを更新して、番組ＡをＰＰＶ管理テーブルのリストから削除する。
【００５８】
また、番組Ａ代替コンテンツが表示可能となったとき（図４ステップＳ１７）、別の番組Ｂを受信中又は受信予定である場合が考えられる。
このとき、番組Ｂを受信中に、番組Ａ代替コンテンツを表示すれば、番組Ｂを中断することになり、番組Ｂを受信予定である場合、番組Ａ代替コンテンツの表示時間と、番組Ｂを受信予定時刻の、関係によっては、すぐに番組Ａ代替コンテンツを表示すると、番組Ｂを表示できなくなる場合があり得る。
表示制御部１３４は、係る場合、番組Ａ代替コンテンツ又は、番組Ｂのいずれかの再生をするか、判断する。
表示制御部１３４は、ＰＰＶ管理テーブルに、受信に失敗した番組Ａ、及び、現在受信中又はこれから受信予定である、番組Ｂがある場合（図７（ａ））において、受信に失敗した、番組Ａの代替コンテンツが表示可能になった場合（図７（ｂ））、番組Ａ代替コンテンツと、番組Ｂと、どちらを再生するか選択を促す旨の、案内表示１１９−２「前回・・」を表示する（図８）。ユーザに、番組Ａの代替コンテンツ又は、番組Ｂのいずれかの再生をするか、判断を促すことで利便性が向上する。
【００５９】
表示制御部１３４は、番組Ａ代替コンテンツと、番組Ｂを選択する、案内表示１１９−２（図８）に対して、選択表示１１９−３「ＶＯＤで・・」に相当する制御信号を取得した場合、スイッチＳＷ１００を代替コンテンツ処理部１２０の出力側に設定する。また、代替コンテンツ処理部１２０は代替コンテンツの番組データをデスクランブルのための鍵を用いて復号し、映像データ、音声データ及び制御信号に分離し、映像データを、映像復号部１１７へ出力し、音声データを、音声復号部１１４へ出力する。
【００６０】
表示制御部１３４は、番組Ａ代替コンテンツと、番組Ｂを選択する、案内表示１１９−２（図８）に対して、選択表示１１９−３「番組Ｂを・・」に相当する制御信号を取得した場合、スイッチＳＷ１００を、分離部１１３の出力側に設定したままとする。
こうすることで、番組Ｂを受信中であれば、受信装置１０は、受信部１１１で受信中の、番組Ｂの放送信号を用いて、復号部１１２で復号し、分離部１１３で映像データ、音声データ及び制御信号に分離し、映像復号部１１７を介して、表示部１１９から映像を表示し、音声復号部１１４、再生部１１６を介して音声を出力し、ユーザは、番組Ｂを視聴できるようになる。番組Ｂを受信予定であれば、その予定時刻において、ユーザは、番組Ｂを視聴できるようになる。
【００６１】
表示制御部１３４は、受信に失敗した番組Ａの代替コンテンツが表示可能になった場合であっても、直ちに番組Ａの代替コンテンツを表示することなく、案内表示１１９−２等を表示するため、ユーザ希望に沿う処理をすることができ、利便性が向上する。
【００６２】
さらに、表示制御部１３４は、ＰＰＶ管理テーブルに、受信に失敗した番組Ａ及び、これから受信する予定又は現在受信中の番組Ｂがある場合（図７（ａ））において、受信に失敗した番組Ａの、代替コンテンツが表示可能になった場合（図７（ｂ））、番組Ａ代替コンテンツと、番組Ｂとのどちらを再生するか選択を促す旨の、案内表示１１９−２「前回・・」を表示する前に、番組Ａ代替コンテンツの再生時間と、番組Ｂの終了時刻とを比較し、番組Ａ代替コンテンツを表示するか、番組Ｂの表示をするか判断してもよい。
【００６３】
さらに、番組Ａ代替コンテンツに関する情報の通知は、本実施形態では、通信装置４０より通知され、受信装置１０により取得されるが、通信装置４０経由ではなく、送信装置２０から放送信号で送信され、受信装置１０により取得されてもよい。この場合例えば放送信号中に含まれる個別の制御信号（例えば、ＥＭＭ）を用いることができる。この場合、例えば、送信装置２０はインターネット通信機能を有し、インターネット５０を介して、受信装置１０から直接又は、通信装置４０を通じて、受信不良を知らせる通知が、送信装置２０に通知される。
【００６４】
代替コンテンツは、受信装置１０の記憶部１２２に蓄積される番組データであってもよいし、代替コンテンツを格納する通信サーバーの、ＵＲＬ、ＩＰアドレス等の、ロケーション情報でもよい。
【００６５】
表示制御部１３４は、映像合成部１１８を介して表示部に、代替コンテンツが表示可能である旨の情報を表示する場合、放送通信連携システムを利用してもよい。この仕組みを利用すれば、表示制御部１３４は、既存のシステムの中で、代替コンテンツを案内することができる。
【００６６】
本実施形態では、放送番組受信中に受信状態が代替を要するほどに劣悪となった場合に、その有料番組の終了時刻において、代替コンテンツの取得を行っているが、番組放送中であっても、代替コンテンツを取得してもよい。例えば、番組放送からやや遅れて伝送される、ＩＰ再放送がある場合、これを取得する。そうすることで多少の時間的遅延があるものの、同内容の番組をほぼリアルタイムに表示できる。
【００６７】
通信装置４０は、本実施形態では送信装置と別装置となっているが、送信装置の一部に配置されていてもよいし、クラウド上のサーバーであってもよい。また、通信装置４０は、本実施形態では代替コンテンツを格納する通信サーバーと別装置となっているが、通信装置４０内に代替コンテンツを格納してもよい。
【００６８】
暗号解除部１４１は、本実施形態で、受信装置１０に内蔵しているが、受信装置１０に接続可能な暗号解除機器であってもよい。例えば、ＩＣカード型の暗号解除機器がある。
【００６９】
また、上述した実施形態における、受信装置１０又は、送信装置２０の一部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
なお、ここでいう「コンピュータシステム」とは、認識データ伝送装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバーやクライアントとなるコンピュータシステム内部の揮発性メモリのように、一定時間プログラムを保持しているものも含んでもよい。
また上記プログラムは、前述した機能の一部を実現するためのものであってもよく、さらに前述した機能をコンピュータシステムにすでに記録されているプログラムとの組み合わせで実現できるものであってもよい。
【００７０】
以上、この発明の実施形態について図面を参照して詳述してきたが、具体的な構成はこの実施形態に限られるものではなく、この発明の要旨を逸脱しない範囲の設計等も含まれる。
【符号の説明】
【００７１】
１…デジタル放送システム、１０…受信装置、２０…送信装置、３０…放送衛星、４０…通信装置、
１１１…受信部、１１２…復号部、１１３…分離部、１１４…音声復号部、１１６…再生部、１１７…映像復号部、１１８…映像合成部、１１９…表示部、１１９−２…案内表示、
１１９−３、１１９−４…選択表示、
１２０…代替コンテンツ処理部、１２２…記憶部、１２３…操作入力部、
１３１…制御部、１３２…検出部、１３３…判定部、１３４…表示制御部、１３５…代替コンテンツ取得部、１４１…暗号解除部、１５１…通信部、ＳＷ１００…スイッチ、
２０１…番組データ生成部、２０２…構成情報生成部、２０３…多重化部、２０５…送信部
【図１】
2017184207.tif 000003
【図２】
2017184207.tif 000004
【図３】
2017184207.tif 000005
【図４】
2017184207.tif 000006
【図５】
2017184207.tif 000007
【図６】
2017184207.tif 000008
【図７】
2017184207.tif 000009
【図８】
2017184207.tif 000010